(57)【要約】      （修正有）【課題】装飾性を高めつつ、補聴器本体の落下を防止することができる補聴器用保持具を提供する。【解決手段】使用者の耳穴に挿入可能な補聴器本体４０に着脱可能に取り付けられる取付部１０と、使用者の耳に装着される耳装着部２０と、取付部１０および耳装着部２０を連結する紐状体３０とを備える補聴器保持具１である。紐状体３０は貴金属製のチェーンからなることが好ましい。【選択図】図１
0003190774.tif 000002
【実用新案登録請求の範囲】
【請求項１】
使用者の耳穴に挿入可能な補聴器本体に着脱可能に取り付けられる取付部と、
使用者の耳に装着される耳装着部と、
前記取付部および耳装着部を連結する紐状体とを備える補聴器保持具。
【請求項２】
前記耳装着部は、使用者の耳朶を挟持可能に構成されており、
前記紐状体は、貴金属製のチェーンからなる請求項１に記載の補聴器保持具。
【請求項３】
使用者の耳穴に挿入可能な補聴器本体と、
使用者の耳に装着される耳装着部と、
前記補聴器本体および耳装着部を連結する紐状体とを備える補聴器。
【考案の詳細な説明】
【技術分野】
【０００１】
本考案は、補聴器用保持具および補聴器に関する。
【背景技術】
【０００２】
従来の補聴器として、補聴器本体を外耳道に装着して使用する耳穴式補聴器が知られている。耳穴式補聴器は、耳かけ式補聴器に比べて装着時に落下し易く、紛失や損傷のおそれがあることから、一端側を補聴器本体に取り付けて、他端側に設けられたクリップを衣類のポケットや襟などに装着することができる補聴器用ストラップが従来から知られている。また、特許文献１には、ナイロン等の樹脂製の紐を連結可能な連結部を備える補聴器が開示されている。
【先行技術文献】
【特許文献】
【０００３】
【特許文献１】特開２００７−１２４０２２号公報
【考案の概要】
【考案が解決しようとする課題】
【０００４】
ところが、補聴器に取り付けられたストラップの先端を自然に垂らしたり、衣類に固定したりする場合には、ストラップが煩雑になったり、見栄えの面で問題があった。また、ストラップを衣類に固定すると、首を傾けたり回した時にストラップにテンションが作用して、耳から補聴器がより外れ易くなるという問題もあった。
【０００５】
そこで、本考案は、装飾性を高めつつ、補聴器本体の落下を防止することができる補聴器用保持具および補聴器の提供を目的とする。
【課題を解決するための手段】
【０００６】
本考案の前記目的は、使用者の耳穴に挿入可能な補聴器本体に着脱可能に取り付けられる取付部と、使用者の耳に装着される耳装着部と、前記取付部および耳装着部を連結する紐状体とを備える補聴器保持具により達成される。
【０００７】
この補聴器保持具において、前記耳装着部は、使用者の耳朶を挟持可能に構成されていることが好ましく、前記紐状体は、貴金属製のチェーンからなることが好ましい。
【０００８】
また、本考案の前記目的は、使用者の耳穴に挿入可能な補聴器本体と、使用者の耳に装着される耳装着部と、前記補聴器本体および耳装着部を連結する紐状体とを備える補聴器により達成される。
【考案の効果】
【０００９】
本考案によれば、装飾性を高めつつ、補聴器本体の落下を防止することができる補聴器用保持具および補聴器を提供することができる。
【図面の簡単な説明】
【００１０】
【図１】本考案の一実施形態に係る補聴器用保持具の概略構成図である。
【図２】補聴器用保持具の使用状態を示す図である。
【考案を実施するための形態】
【００１１】
以下、本考案の一実施形態について添付図面を参照しつつ説明する。図１は、本考案の一実施形態に係る補聴器用保持具の概略構成図である。図１に示すように、補聴器用保持具１は、取付部１０と、耳装着部２０と、取付部１０および耳装着部２０を連結する紐状体３０とを備えている。
【００１２】
取付部１０は、使用者の耳穴に挿入可能な補聴器本体４０に対して着脱可能に構成されており、例えば、フック、カラビナ、ナスカン等からなる。補聴器本体４０は、外耳道に挿入可能なケーシング内に、マイク、レシーバ、電池、電子回路等が内蔵された公知の耳穴式補聴器であり、ケーシングに取出し用の環状のテグス４２を備える場合には、このテグス４２に取付部１０を係合させることができる。取付部１０は、補聴器本体４０に着脱可能であれば、補聴器本体４０に対する取り付け位置や形状は特に限定されるものではない。例えば、補聴器本体４０のケーシング表面に突起やリング等を備える場合には、これらを利用して取付部１０を着脱自在に取り付けることが可能である。
【００１３】
耳装着部２０は、Ｕ字状の一端側に係止部２２を備え、他端側にピン２４が螺合されたイヤリング状の部材であり、係止部２２とピン２４の先端との間に使用者の耳朶を挟持可能に構成されている。
【００１４】
紐状体３０は、両端部が取付部１０および耳装着部２０にそれぞれ固定されて、両者を連結する。紐状体３０の長さは、耳穴に装着された補聴器本体４０と、耳朶を挟持する耳装着部２０との間を連結するのに必要な長さであればよいが、紐状体３０を耳の下方に若干弛ませるようにしてもよい。紐状体３０は、樹脂や布、ゴムなどから形成することも可能であるが、装飾性や高級感を高めるために、貴金属製のチェーンであることが好ましい。取付部１０および耳装着部２０についても、紐状体３０と同様に貴金属製であることが好ましい。
【００１５】
上記の構成を備える補聴器用保持具１は、図２に示すように、取付部１０および耳装着部２０を補聴器本体４０のテグス４２および使用者の耳朶５４にそれぞれ取り付け、耳装着部２０が装着された耳５０の耳穴５２に補聴器本体４０を挿入して、使用することができる。この補聴器用保持具１は、補聴器本体４０が挿入された耳５０に装着することができるので、従来のストラップと比較して紐状体３０の長さを十分短くすることができ、補聴器用保持具１を取り付けることによる煩雑さや見栄えの問題を解消することができる。また、首を傾けたり回したりしでも、紐状体３０にテンションが作用するおそれがなく、補聴器本体４０の装着状態を良好に維持して落下を防止することができる。なお、耳装着部２０が耳朶５４から万一外れて、補聴器本体４０が落下したとしても、紐状体３０が補聴器本体４０に連結されているため、補聴器本体４０が転がって紛失するのを防止することができる。
【００１６】
また、紐状体３０を貴金属製のチェーンとすることにより、補聴器用保持具１を装飾具のように使用することができ、補聴器本体４０を相対的に目立ち難くすることができる。図２に示すように、紐状体３０の途中には１または複数の装飾体３２を設けてもよく、装飾効果をより高めることができる。
【００１７】
本実施形態においては、補聴器本体４０に対して補聴器用保持具１の取付部１０を着脱可能な構成としているが、取付部１０を設ける代わりに、紐状体３０の端部を補聴器本体４０に固定して一体化してもよく、補聴器本体、耳装着部およびこれらを連結する紐状体を備える補聴器とすることも可能である。
【００１８】
また、本実施形態においては、耳装着部２０が使用者の耳朶を挟持する構成としているが、耳への装着手段は、必ずしも本実施形態の構成には限定されない。例えば、耳装着部２０が、イヤリング等の耳に取り付ける装身具に装着可能であってもよく、あるいは、ピアスタイプの構成であってもよい。
【符号の説明】
【００１９】
１  補聴器用保持具
１０  取付部
２０  耳装着部
３０  紐状体
４０  補聴器本体
【図１】
0003190774.tif 000003
【図２】
0003190774.tif 000004